(57)【特許請求の範囲】
【請求項１】
複数の第１の電極と複数の第２の電極が交互に且つ平行に配置され、該第１の電極と該第２の電極に対して間隔を設けて直交するように第３の電極が配置され、該第１、第２、第３の電極により形成されるセルをサブフィールド毎に選択して放電させ、表示を行うプラズマディスプレイパネルの駆動方法であって、
サブフィールド内に、前のサブフィールドにおける放電で前記セル内に残留した壁電荷を消去して前記第１の電極上に、前記セル内に残留した壁電荷よりも少量で維持放電が発生しない程度の量の負の壁電荷、前記第２の電極上に、前記セル内に残留した壁電荷よりも少量で維持放電が発生しない程度の量の正の壁電荷を形成するリセット工程と、前記第２の電極に負極性の走査パルス、前記第３の電極に正極性のアドレスパルスを印加して前記セルにアドレス放電を行わせアドレス動作を行うアドレス放電工程と、前記第１、第２の電極に電圧を印加しアドレスされたセルを放電させて点灯させる維持放電工程と、前記アドレス放電工程と前記維持放電工程との間において非点灯セルの壁電荷の量や極性を調整する電荷調整工程と、を備え、
前記電荷調整工程は、
前記第２の電極に、前記維持放電工程において印加する維持放電パルスと同等の電圧値の第１の波形信号を印加する第１のステップと、
前記第２の電極に前記第１の波形信号よりも高い電圧値の第２の波形信号を印加すると共に、前記第１の電極に前記第２の波形信号よりも低い電圧値の第３の波形信号を印加することで、前記アドレス工程においてアドレス放電を実行しなかったセルにおいて、前記第２の電極と前記第３の電極との間で放電を行う第２のステップと、
を有することを特徴とするプラズマディスプレイパネルの駆動方法。
【請求項２】
請求項１記載のプラズマディスプレイパネルの駆動方法において、
前記第２のステップでは、前記第３の波形信号の印加により、前記第１の電極は、前記第３の電極との間または前記第２の電極との間で放電を起こさないことを特徴とするプラズマディスプレイパネルの駆動方法。
【請求項３】
請求項１記載のプラズマディスプレイパネルの駆動方法において、
前記電荷調整工程は、１フレームまたは１フィールド内の複数のサブフィールドの少なくとも１つに設けられることを特徴とするプラズマディスプレイパネルの駆動方法。
【請求項４】
請求項１記載のプラズマディスプレイパネルの駆動方法において、
前記電荷調整工程は、維持放電回数が多いサブフィールドに設けられることを特徴とするプラズマディスプレイパネルの駆動方法。
【請求項５】
請求項１記載のプラズマディスプレイパネルの駆動方法において、
前記電荷調整工程は、フィールド内の最初のサブフィールドに設けられることを特徴とするプラズマディスプレイパネルの駆動方法。
【請求項６】
請求項１記載のプラズマディスプレイパネルの駆動方法において、
前記電荷調整工程において、前記アドレス工程においてアドレス放電を実行しなかったセルにおいて前記第２の電極と前記第３の電極との間で放電を行わせる電圧は、傾きの緩やかな波形の電圧であることを特徴とするプラズマディスプレイパネルの駆動方法。
【請求項７】
複数の第１の電極と複数の第２の電極が交互に且つ平行に配置され、該第１の電極と該第２の電極に対して間隔を設けて直交するように第３の電極が配置され、該第１、第２、第３の電極により形成されるセルをサブフィールド毎に選択して放電させ、表示を行うプラズマディスプレイパネルであって、
サブフィールド内において、前のサブフィールドにおける放電で前記セル内に残留した壁電荷を消去して前記第１の電極上に、前記セル内に残留した壁電荷よりも少量で維持放電が発生しない程度の量の負の壁電荷、前記第２の電極上に、前記セル内に残留した壁電荷よりも少量で維持放電が発生しない程度の量の正の壁電荷を形成するリセット工程と、前記第２の電極に負極性の走査パルス、前記第３の電極に正極性のアドレスパルスを印加して前記セルにアドレス放電を行わせアドレス動作を行うアドレス放電工程と、前記第１、第２の電極に電圧を印加しアドレスされたセルを放電させて点灯させる維持放電工程と、前記アドレス放電工程と前記維持放電工程との間において非点灯セルの壁電荷の量や極性を調整する電荷調整工程と、を実施する駆動回路を備え、
前記駆動回路は、前記電荷調整工程において、前記第２の電極に、前記維持放電工程時に印加する維持放電パルスと同等の電圧値の第１の波形信号を印加した後、前記第２の電極に前記第１の波形信号よりも高い電圧値の第２の波形信号を印加すると共に、前記第１の電極に前記第２の波形信号よりも低い電圧値の第３の波形信号を印加することで、前記アドレス工程においてアドレス放電を実行しなかったセルにおいて、前記第２の電極と前記第３の電極との間で放電を行う構成である、
ことを特徴とするプラズマディスプレイパネル。
【発明の詳細な説明】
【０００１】
【発明の属する技術分野】
本発明はプラズマディスプレイパネル及びその駆動方法に関する。
【０００２】
【従来の技術】
プラズマディスプレイパネルは、電極が形成された２枚のガラス基板に挟まれた１００ミクロン程度の空間に放電用のＮｅ、Ｘｅ等の混合ガスを満たし、電極間に放電開始以上の電圧を印加することで放電を発生させ、放電によって発生した紫外線により基板上に形成された蛍光体を励起発光させ表示を行う素子である。
【０００３】
図７はプラズマディスプレイ装置の概略の構成を示す構成図である。
表示パネル１０には、平行に配置された第１電極（Ｘ電極）１１および第２電極（Ｙ電極）１２が形成され、それらに直交するように第３電極（アドレス電極）１３が形成されている。第1の駆動回路１４から第１電極１１に電圧パルスが供給され、第２の駆動回路１５から第２電極１２に電圧パルスが供給され、第３の駆動回路16から第３電極１３に電圧パルスが供給される。第１電極１１と第２電極１２は主に表示発光を行うための維持放電を実施する電極である。この第１電極１１と第２電極１２間に繰り返し返し電圧パルスを印加することで維持放電を行う。さらに、何れかの電極は表示データを書き込む際の走査用電極（Ｙ電極）としても機能する。一方、第３電極１３は発光させる表示セルを選択するための電極であり、第１電極１１または第２電極１２の一方と、第３電極１３間に放電セルを選択するための書込み放電行う電圧を印加する。第１、第２及び第３の駆動回路１４、１５、１６はそれぞれ、第１、第２及び第３の電極１１、１２、１３に目的に応じた電圧パルスを発生するための駆動回路である。
【０００４】
図８は図７に示した装置の表示パネル部を説明するための平面図である。第１の電極であるＸ電極と、第２の電極であるＹ電極が平行に配置されている。ここでは表示ラインＬ１〜Ｌ５までの電極を示している。さらに、第３電極であるアドレス電極（Ａ１〜Ａ４）と、放電セルを仕切るための隔壁２が形成されている。このパネル１０は、表示電極であるＸ電極とＹ電極を交互に等間隔で配置し、全ての電極の隙間を表示ライン（Ｌ１，Ｌ２．．．．）として活用する方式であり、ＡＬＩＳ方式（Ａｌｔｅｒｎａｔｅ  Ｌｉｇｈｔｉｎｇ  ｏｆ  Ｓｕｒｆａｃｅｓ）と呼ばれるもので、特許第２８０１８９３号公報に開示されている。全ての電極の隙間を表示ラインとして活用するため、電極数は後述する図１４に示す構造のプラズマディスプレイパネルの約半分で済み、低コスト化、高精細化に有利な方式である。
【０００５】
図９はＡＬＩＳ方式のプラズマディスプレイパネルの発光原理を示す原理図である。ＡＬＩＳ方式は１本の電極を２つの表示ラインで共用しているため上下のラインを同時に点灯させることはできない。そこで、テレビ受像機のインタレース表示のように、奇数ラインの表示（第１フィールド）と偶数ラインの表示（第２フィールド）を時間的に分離して表示を行っている。
【０００６】
図１０はＡＬＩＳ方式のプラズマディスプレイパネルの駆動方法におけるサブフィールド構成を示す図である。図に示すように、１フレームは第１および第２のフィールドに分割して構成される。さらに各フィールドは複数のサブフィールドに分割される。プラズマディスプレイは放電するか、しないかの２値しか取り得ないため、明るさの違いつまり階調を放電の回数によって制御している。そのために、放電回数の異なる複数のサブフィールドを持ち、階調に応じて点灯するサブフィールドで選択的に放電させることで明るさの違いを表現している。通常８から１２個のサブフィールドが設けられている。
【０００７】
さらにまた、各サブフィールドはリセット期間２１、アドレス期間２２、維持放電期間２３（サスティン期間とも呼ぶ）より構成される。リセット期間２１は前のサブフィールドでの点灯状態に関わらず全てのセルを均一な状態、例えば壁電荷を消去した状態にするための操作が実行される。アドレス期間２２は表示データに応じてセルのオンやオフの状態を決めるために、選択的な放電（アドレス放電）が行われ、セルをオン状態とする壁電荷が形成される。維持放電期間２３はアドレス放電が実行されたセルで放電を繰り返し所定の光を出す。
【０００８】
図１１はＡＬＩＳ方式プラズマディスプレイパネルの各電極に加える駆動波形の波形図であり、図１１（ａ）はアドレス電極に供給するパルスを、図１１（ｂ）はＸ１電極に供給するパルスを、図１１（ｃ）はＹ１電極に供給するパルスを、図１１（ｄ）はＸ２電極に供給するパルスを、図１１（ｅ）はＹ２電極に供給するパルスを示す。まず、リセット期間において、前のサブフィールドで点灯していたセルの過剰な壁電荷を消去するために、Ｙ電極にマイナス１７０Ｖ程度で１μｓの細いパルス−Ｖｙを印加する。このパルスで主にアドレス電極とＹ電極間の過剰な壁電荷が消去される。次に、Ｘ電極にマイナス１２０Ｖ程度の傾きの緩やかなパルス−Ｖｗｘを印加する。このパルスによって、前のサブフィールドで点灯していたセルのＸ電極とＹ電極間およびアドレス電極およびＸ電極間の壁電荷を消去する。次にＹ電極に、１７０Ｖ程度の傾きの緩やかな書き込みパルスＶｓを印加する。このパルスによって、Ｙ電極とアドレス電極間およびＹ電極とＸ電極間で書き込み放電が行われ、ある程度の壁電荷が形成される。さらに、Ｘ電極に９０Ｖ程度の電圧Ｖｘを印加した状態で、Ｙ電極にマイナス１６０Ｖ程度の傾きの緩やかな消去パルス−Ｖｅｙが印加される。このパルスによって、直前に形成された壁電荷は消去され新たに逆極性の壁電荷が多少形成される。それらの動作を経て全てのセルが電気的に均一な状態となり、次のアドレス期間に備える。また、リセット期間の最終段階の壁電荷はＹ電極に多少のプラス電荷が、Ｘ電極に多少のマイナス電荷が形成された状態となっている。
【０００９】
ＡＬＩＳ方式では、奇数フィールドでは、Ｘ１電極−Ｙ１電極、Ｘ２電極−Ｙ２電極、Ｘ３電極−Ｙ３電極、…間のラインが点灯され、偶数フィールドでは、Ｙ１電極−Ｘ２電極、Ｙ２電極−Ｘ３電極、Ｙ３電極−Ｘ４電極、…間のラインが点灯される。このため、アドレス期間ではアドレス電極にアドレスパルスが印加され、奇数フィールドのアドレス期間ではＹ１、Ｙ２、…Ｙｎ電極に走査パルスが印加される。また、偶数フィールドのアドレス期間ではＸ２、Ｘ３…Ｘｎ電極に走査パルスが印加される。奇数フィールドの維持放電期間では、Ｘ１電極−Ｙ１電極、Ｘ２電極−Ｙ２電極、Ｘ３電極−Ｙ３電極、…に維持パルスが印加され、アドレスされたセルが点灯される。偶数フィールドの維持放電期間では、Ｙ１電極−Ｘ２電極、Ｙ２電極−Ｘ３電極、Ｙ３電極−Ｘ４電極、…に維持パルスが印加され、アドレスされたセルが点灯される。
【００１０】
図１２は維持放電期間にプラズマディスプレイパネルに印加される電圧波形を示す波形図である。Ｘ２電極とＹ２電極で規定される表示ラインが放電する場合の放電個所を黒丸で示している。なお、この場合、Ｙ１電極とＸ２電極、Ｙ２電極とＸ３電極間での放電の発生を防ぐために、それぞれの電極に幅の広くパルスが印加される。
【００１１】
図１４は他の一般的なプラズマディスプレイパネルの概略構成図である。Ｘ電極とＹ電極が対となり１つの表示ラインを形成している。
【００１２】
図１５は図１４に示すプラズマディスプレイパネルを駆動させるための駆動波形図であり、図１５（ａ）はアドレス電極に印加される波形を、図１５（ｂ）はＸ電極に印加される波形を、図１５（ｃ）はＹ電極に印加される波形を示す。この駆動波形は特許第２６９２６９２号公報に開示された技術をもとに、リセット期間の波形を変更した方法であり、特開表２０００−５０１１９９号公報に開示されている。この駆動方法の特徴はリセット期間でアドレス電極とＹ電極間にアドレスパルスに重畳される壁電荷を残留させることに特徴があり、そのためアドレス期間に印加するアドレスパルスや走査パルスの電圧を低くすることができる。
【００１３】
【発明が解決しようとする課題】
図１３は図８から図１２で示したＡＬＩＳ方式のプラズマディスプレイパネルにおける動作を説明するための図である。図１３（ａ）はＸ２とＹ２電極間のセルで維持放電を繰り返し行っている状態を示している。その際、図１３（ｂ）に示すように維持放電によって生成された電子は隣接するＹ１電極やＸ３電極側に移動し壁電荷として蓄積される。電子はイオンに比べ移動度が大きいため隣接セルへの拡散が非常に起こりやすい。一方、イオンは移動度が小さいため隣接セルへの蓄積は起こらない。蓄積される電荷の量は、電極の間隔が狭く、印加電圧が高く、さらに維持放電の繰り返しが多いほど多くなる。その蓄積量がある程度以上になると、図１３（ｃ）のように、Ｘ１とＹ１電極間で放電を開始し、それ以降の維持放電パルスによって、図１３（ｄ）のように繰り返し維持放電を行ってしまう。
また、リセット期間で壁電荷が全く残留しないようにした場合でも、電極の間隔が狭く、印加電圧が高く、さらに維持放電の繰り返しが多い場合はこのような異常放電が発生することがある。
さらにまた、図１４、図１５示したプラズマディスプレイパネルにおいても、同様な現象が発生する。
【００１４】
図１６は図１４、図１５で示したプラズマディスプレイパネルにおける動作を説明するための図である。図１６（ａ）はリセット期間を経てアドレス期間に入る前の壁電荷の状態である。先に示したようにアドレス放電に有利な壁電荷が残留している。図１６（ｂ）はＸ２とＹ２のセルでアドレス放電を行なった場合の状態である。図１６（ｃ）は維持放電期間での状態を示している。維持放電が繰り返されることにより、点灯セルからのプライミング効果等により、Ｘ１とＹ１電極間のセルが放電開始してしまう様子を示している。本方式のリセット期間で形成される壁電荷はアドレス放電には有利であるが、維持放電時には、このように不利に作用することもある。特に、電極間の間隔が小さい高精細パネルやリセット期間で残留させる壁電荷量が多い駆動を行なう場合などに起こりやすい現象である。
【００１５】
本発明の目的は上記の問題を解決し、アドレス放電を実行し維持放電を行なうセルに隣接した、アドレス放電を実施しないセルにおいて異常放電が発生することを防止するプラズマディスプレイパネル及びその駆動方法を提供することにある。
【００１６】
【課題を解決するための手段】
本発明では、アドレス期間の前にリセット放電を実行し壁電荷の消去あるいは所定量を残留させる操作を実行し、アドレス期間で選択的にアドレス放電を実行した後に、アドレス放電を実行しなかったセルで放電を行ない、壁電荷の極性や量の調整を実行する。
本発明によれば、アドレス期間の前のリセット工程でＸ電極およびＹ電極にマイナス電荷を形成するため異常放電を回避することができる。
【００１７】
本発明は、複数の第１の電極と複数の第２の電極が交互に且つ平行に配置され、該第１の電極と該第２の電極に対して間隔を設けて直交するように第３の電極が配置され、該第１、第２、第３の電極により形成されるセルをサブフィールド毎に選択して放電させ、表示を行うプラズマディスプレイパネルの駆動方法であって、サブフィールド内に、前のサブフィールドにおける放電で前記セル内に残留した壁電荷を消去して前記第１の電極上に、前記セル内に残留した壁電荷よりも少量で維持放電が発生しない程度の量の負の壁電荷、前記第２の電極上に、前記セル内に残留した壁電荷よりも少量で維持放電が発生しない程度の量の正の壁電荷を形成するリセット工程と、前記第２の電極に負極性の走査パルス、前記第３の電極に正極性のアドレスパルスを印加して前記セルにアドレス放電を行わせアドレス動作を行うアドレス放電工程と、前記第１、第２の電極に電圧を印加しアドレスされたセルを放電させて点灯させる維持放電工程と、前記アドレス放電工程と前記維持放電工程との間において非点灯セルの壁電荷の量や極性を調整する電荷調整工程と、を備え、前記電荷調整工程は、前記第２の電極に、前記維持放電工程において印加する維持放電パルスと同等の電圧値の第１の波形信号を印加する第１のステップと、前記第２の電極に前記第１の波形信号よりも高い電圧値の第２の波形信号を印加すると共に、前記第１の電極に前記第２の波形信号よりも低い電圧値の第３の波形信号を印加することで、前記アドレス工程においてアドレス放電を実行しなかったセルにおいて、前記第２の電極と前記第３の電極との間で放電を行う第２のステップと、を有する。
【００１８】
また、本発明は、複数の第１の電極と複数の第２の電極が交互に且つ平行に配置され、該第１の電極と該第２の電極に対して間隔を設けて直交するように第３の電極が配置され、該第１、第２、第３の電極により形成されるセルをサブフィールド毎に選択して放電させ、表示を行うプラズマディスプレイパネルであって、サブフィールド内において、前のサブフィールドにおける放電で前記セル内に残留した壁電荷を消去して前記第１の電極上に、前記セル内に残留した壁電荷よりも少量で維持放電が発生しない程度の量の負の壁電荷、前記第２の電極上に、前記セル内に残留した壁電荷よりも少量で維持放電が発生しない程度の量の正の壁電荷を形成するリセット工程と、前記第２の電極に負極性の走査パルス、前記第３の電極に正極性のアドレスパルスを印加して前記セルにアドレス放電を行わせアドレス動作を行うアドレス放電工程と、前記第１、第２の電極に電圧を印加しアドレスされたセルを放電させて点灯させる維持放電工程と、前記アドレス放電工程と前記維持放電工程との間において非点灯セルの壁電荷の量や極性を調整する電荷調整工程と、を実施する駆動回路を備え、前記駆動回路は、前記電荷調整工程において、前記第２の電極に、前記維持放電工程時に印加する維持放電パルスと同等の電圧値の第１の波形信号を印加した後、前記第２の電極に前記第１の波形信号よりも高い電圧値の第２の波形信号を印加すると共に、前記第１の電極に前記第２の波形信号よりも低い電圧値の第３の波形信号を印加することで、前記アドレス工程においてアドレス放電を実行しなかったセルにおいて、前記第２の電極と前記第３の電極との間で放電を行う構成である。
【００２２】
【発明の実施の形態】
以下、本発明の実施の形態について、幾つかの実施例を用い、図を参照して説明する。
図１は本発明によるプラズマディスプレイパネルの駆動方法の原理を説明するための図である。図１（ａ）は図１１に示す駆動波形によるリセット期間後の壁電荷状態であり、Ｘ１、Ｘ２、Ｘ３電極にはマイナス電荷が少し残っており、Ｙ１、Ｙ２、Ｙ３電極にはプラス電荷が少し残っている。図１（ｂ）はＸ２電極とＹ２電極の放電セルでアドレス放電を実行した後の壁電荷状態を示しており、Ｘ2電極にはマイナスの壁電荷が蓄積され、Ｙ２電極にはプラスの壁電荷が蓄積される。図１（ｃ）はアドレス放電の後に維持放電を１回実施した場合の状態を示す。Ｘ２電極にプラスの壁電荷が蓄積され、Ｙ２電極にはマイナスの壁電荷が蓄積される。また、この状態において、Ｘ１電極、Ｘ３電極にはマイナスの壁電荷が少し残っており、Ｙ１電極、Ｙ３電極にはプラスの壁電荷が少し残っている。図１（ｄ）はＹ電極を陽極としアドレス電極を陰極としてアドレス電極とＹ電極間に電圧パルスを印加し放電を行ない、Ｙ１電極とＹ３電極上の壁電荷の極性を反転させてマイナスの壁電荷にした状態を示している。このように非選択セルにおいて、Ｘ電極およびＹ電極ともに多少のマイナスの壁電荷（電子）を形成することで、その後繰り返して隣接セルで実施される維持放電からの電荷の飛来が少なくなり異常放電に至ることは無い。この図１（ｃ）及び（ｄ）で説明した工程は本発明によって設けられた工程である。以後、この工程を電荷調整工程と言い、この電荷調整工程を行う期間を電荷調整期間と言う。
【００２３】
図２は本発明によるプラズマディスプレイパネルの駆動方法を説明するためのサブフィールド構成を示す構成図である。図に示すように、アドレス期間２２後に非点灯セルの壁電荷の量や極性を調整する電荷調整期間２４を設けている。この電荷調整期間２４は全てのサブフィールドに加えてもよいが、維持放電回数の多いサブフィールドにのみ加えても良い。
【００２４】
図３は本発明によるプラズマディスプレイパネルの駆動方法の第１の実施例を示す波形図であり、図３（ａ）はアドレス電極に印加される電圧波形図、図３（ｂ）はＸ１電極に印加される電圧波形図、図３（ｃ）はＹ１電極に印加される電圧波形図、図３（ｄ）はＸ２電極に印加される電圧波形図、図３（ｅ）はＹ２電極に印加される電圧波形図である。リセット期間からアドレス期間までは図１１に示す電圧波形を印加する。アドレス期間の後に電荷調整用の波形を印加していることに特徴がある。電荷調整期間のＴ１でアドレス放電を実行したセルに対する放電を実施すると、各電極の壁電荷は図１（ｃ）に示す状態となる。次にＴ２のタイミングではアドレズ放電を実行せず電荷が残留しているセルに対して壁電荷調整のための放電を実施する。アドレス電極を０Ｖ（ＧＮＤ）とした状態で、Ｘ電極にＶｃＸ、Ｙ電極にＶｃＹとなるパルスを印加する。アドレス電極とＹ電極間の印加電圧であるＶｃＹは微弱な放電を引き起こす値に設定されており、具体的には１９０Ｖである。またＸ電極に印加したＶｃＸの電圧はアドレス電極間およびＹ電極間と放電を起こさないために電極間電位差を小さくするための電圧であり、９０Ｖとしている。このＴ２のタイミングでの放電によって、図１（ｄ）に示すようにＹ電極上に多少のマイナス電荷が形成される。このことで非選択セルはＸ電極およびＹ電極とも多少のマイナス電荷が蓄積されるため、それ以上の電子の飛来および蓄積を防止し、誤放電に至ることを防いでいる。
【００２５】
図４は本発明によるプラズマディスプレイの駆動方法の第２の実施例を示す波形図であり、図４（ａ）は電荷調整期間及び維持放電期間においてアドレス電極に印加される電圧波形図、図４（ｂ）は電荷調整期間及び維持放電期間においてＸ１電極に印加される電圧波形図、図４（ｃ）は電荷調整期間及び維持放電期間においてＹ１電極に印加される電圧波形図、図４（ｄ）は電荷調整期間及び維持放電期間においてＸ２電極に印加される電圧波形図、図４（ｅ）は電荷調整期間及び維持放電期間においてＹ２電極に印加される電圧波形図である。本実施例ではＹ電極上に多少のマイナス電荷を形成するために、タイミングＴ２に印加する電荷調整用のパルスとして傾きの緩やかな電圧波形ＶｃＹを使用している。この波形ＶｃＹの特徴は印加期間が５０ｕｓから１００ｕｓと前者の実施例に比べ大幅に時間がかかるものの、時間の変化に対して電圧の変化が緩やかなため一気に強い放電となることは無く、セルの電荷蓄積状態のバラツキなどがあっても確実に少量のマイナス電荷をＹ電極上に形成できる。なお、電圧ＶｃＸや電圧ＶｃＹの値は前者と同じである。
【００２６】
図５は本発明によるプラズマディスプレイパネルの駆動方法の第３の実施例を示す波形図であり、図５（ａ）は電荷調整期間及び維持放電期間にアドレス電極に印加される電圧波形図、図５（ｂ）は電荷調整期間及び維持放電期間にＸ電極に印加される電圧波形図、図５（ｃ）は電荷調整期間及び維持放電期間にＹ電極に印加される電圧波形図である。
【００２７】
本実施例による駆動方法を図１４〜図１６に示した一般的なプラズマディスプレイパネルに適用した例である。リセット期間からアドレス期間までは図１５に示した電圧波形と同じである。この駆動方法はアドレス放電に有利な壁電荷を残留させることに特徴があるため、アドレス放電を行なわなかったセルではＹ電極側にマイナス電荷、Ｘ電極側にプラス電荷が形成されている。そこで、Ｘ電極に傾きの緩やかな電圧波形ＶｃＸを印加し、アドレス電極とＸ電極間で放電を行い、Ｘ電極側にマイナス電荷を形成している。これによりＸ電極およびＹ電極ともにマイナスの壁電荷が形成されるため異常放電を防止できる。なお、電圧波形ＶｃＸは、リセット放電で形成された壁電荷の電圧を含めてアドレス電極とＸ電極間で所定の放電を開始する電圧であり約２００Ｖとしている。また、Ｙ電極に印加される電圧波形ＶｃＹは、アドレス放電を実施しないセルにおいて、Ｘ電極とＹ電極間で放電が行なわないようにするための電圧である。このため、電圧波形ＶｃＹは０Ｖより高く、アドレス放電を実施したセルが放電を行なわないように電圧波形Ｖｓより低い電圧であり、１００Ｖ程度である。
【００２８】
図６は本発明によるプラズマディスプレイパネルの駆動方法の第４の実施例を示す波形図であり、図６（ａ）はリセット兼電荷調整期間、アドレス期間及び維持放電期間においてアドレス電極に印加される電圧波形図、図６（ｂ）はリセット兼電荷調整期間、アドレス期間及び維持放電期間においてＸ１電極に印加される電圧波形図、図６（ｃ）はリセット兼電荷調整期間、アドレス期間及び維持放電期間においてＹ１電極に印加される電圧波形図、図６（ｄ）はリセット兼電荷調整期間、アドレス期間及び維持放電期間においてＸ２電極に印加される電圧波形図、図６（ｅ）はリセット兼電荷調整期間、アドレス期間及び維持放電期間においてＹ２電極に印加される電圧波形図である。
【００２９】
本実施例ではリセット期間で全セルのＸ電極およびＹ電極にマイナス電荷を形成することに特徴がある。Ｙ電極（Ｙ１、Ｙ２…Ｙｎ電極）に印加される傾きの緩やかな電圧波形Ｖｓの書き込みパルスによって、Ｙ電極側にはマイナス、Ｘ電極側にはプラスの電荷がそれぞれ蓄積される。その後、Ｙ電極の電圧は維持した状態で、Ｘ電極（Ｘ１、Ｘ２…Ｘｎ電極）にプラスＶｓ程度の傾きの緩やかな電圧波形Ｖｘを書き込みパルスとして印加する。この電圧波形ＶｘでＸ電極とアドレス電極間の微弱な放電が起こり、Ｘ電極側にマイナス、アドレス電極側にプラスが形成される。
【００３０】
続いてＹ電極に傾きの緩やかなマイナスの消去パルス−Ｖｅｙが印加され余分な壁電荷が消去される。Ｙ電極およびＸ電極にもマイナス電荷があるため、アドレス工程でＸ電極に印加する電圧Ｖｘは図１１に示す電圧よりも多少高めになる。
このようにリセット兼電荷調整工程でマイナス電荷をＸ，Ｙ電極に形成する事ができるため維持放電期間での誤放電を防ぐことができる。
また、本実施例はＡＬＩＳ方式及び一般のプラズマディスプレイパネルに適用することができる。
【００３１】
本発明によれば、維持放電期間において点灯セルに隣接する非点灯セルで異常（誤）放電が起こることを防ぐことができるため表示品質の向上に寄与できる。とくに、ＡＬＩＳ方式のパネルやリセット放電で電荷を残留させる方式のプラズマディスプレイパネルに有効である。
【００３２】
【発明の効果】
本発明によれば、維持放電期間において点灯セルに隣接する非点灯セルで異常（誤）放電が起こることを防ぐことができる。
【図面の簡単な説明】
【図１】本発明によるプラズマディスプレイパネルの駆動方法の原理を説明するための図である。
【図２】本発明によるプラズマディスプレイパネルの駆動方法を説明するためのサブフィールド構成を示す構成図である。
【図３】本発明によるプラズマディスプレイパネルの駆動方法の第１の実施例を示す波形図である。
【図４】本発明によるプラズマディスプレイの駆動方法の第２の実施例を示す波形図である。
【図５】本発明によるプラズマディスプレイパネルの駆動方法の第３の実施例を示す波形図である。
【図６】本発明によるプラズマディスプレイパネルの駆動方法の第４の実施例を示す波形図である。
【図７】プラズマディスプレイ装置の概略の構成を示す構成図である。
【図８】図７に示した装置の表示パネル部を説明するための平面図である。
【図９】ＡＬＩＳ方式のプラズマディスプレイパネルの発光原理を示す原理図である。
【図１０】ＡＬＩＳ方式のプラズマディスプレイパネルの駆動方法におけるサブフィールド構成を示す図である。
【図１１】ＡＬＩＳ方式プラズマディスプレイパネルの各電極に加える駆動波形の波形図である。
【図１２】維持放電期間にプラズマディスプレイパネルに印加される電圧波形を示す波形図である。
【図１３】ＡＬＩＳ方式のプラズマディスプレイパネルにおける動作を説明するための図である。
【図１４】他の一般的なプラズマディスプレイパネルの概略構成図である。
【図１５】図１４に示すプラズマディスプレイパネルを駆動させるための駆動波形図であ
【図１６】図１４のパネルを図１５で示した駆動波形で駆動した場合の動作を説明するための図である。
【符号の説明】
１０…プラズマディスプレイパネル、１１…第１の電極（Ｘ電極）、１２…第２の電極（Ｙ電極）、１３…第３電極（アドレス電極）、１４…第１駆動回路、１５…第２駆動回路、１６…第３駆動回路、２１…リセット期間、２２…アドレス期間、２３…維持放電期間、２４…電荷調整期間。
【図１】
0004422350.tif 000002
【図２】
0004422350.tif 000003
【図３】
0004422350.tif 000004
【図４】
0004422350.tif 000005
【図５】
0004422350.tif 000006
【図６】
0004422350.tif 000007
【図７】
0004422350.tif 000008
【図８】
0004422350.tif 000009
【図９】
0004422350.tif 000010
【図１０】
0004422350.tif 000011
【図１１】
0004422350.tif 000012
【図１２】
0004422350.tif 000013
【図１３】
0004422350.tif 000014
【図１４】
0004422350.tif 000015
【図１５】
0004422350.tif 000016
【図１６】
0004422350.tif 000017